(57)【要約】【課題】光学的に記録又は再生可能なテープ状記録媒体において複数のトラッキングパターンのそれぞれの位置を特定することが可能となる。【解決手段】テープ状記録媒体１００は、光学的に記録又は再生可能であって、トラッキングパターン群ＴＧ及びトラッキングパターン非形成領域を備える。トラッキングパターン群ＴＧは、テープ長手方向に繰り返し形成され、複数のトラッキングパターン１０４Ａ、１０４Ｂ、１０４Ｃ、１０４Ｄを含む。トラッキングパターン非形成領域は、各トラッキングパターン１０４Ａ、１０４Ｂ、１０４Ｃ、１０４Ｄ間に形成される。トラッキングパターン１０４Ａ、１０４Ｂ間、トラッキングパターン１０４Ｂ、１０４Ｃ間、トラッキングパターン１０４Ｃ、１０４Ｄ間、トラッキングパターン１０４Ｄ、１０４Ａ間に形成されたトラッキングパターン非形成領域はそれぞれ、テープ長手方向の長さが異なる。【選択図】図１
2015181075.tif 000002
【特許請求の範囲】
【請求項１】
光学的に記録又は再生可能なテープ状記録媒体であって、
テープ長手方向に繰り返し形成された、複数のトラッキングパターンを含むトラッキングパターン群、及び
各トラッキングパターン間に形成されたトラッキングパターン非形成領域、
を備え、
前記トラッキングパターン非形成領域はそれぞれ、そのテープ長手方向の長さが異なる、
テープ状記録媒体。 
【請求項２】
複数のトラッキングパターンを含むトラッキングパターン群がテープ長手方向に繰り返し形成されたテープ状記録媒体を記録または再生する情報記録再生装置であって、
前記テープ状記録媒体に対しデータを記録し、又はデータを読み出す光学記録再生部、及び
前記光学記録再生部を制御する制御部、
を備え、
前記光学記録再生部は、前記長手方向における各トラッキングパターンの間隔を読み出す、
情報記録再生装置。 
【請求項３】
メモリを更に備え、
前記制御部は、前記各トラッキングパターンの間隔を前記メモリに記憶させ、
前記光学記録再生部は、前記メモリに記憶された間隔に基づきトラッキングを実行する、
請求項２に記載の情報記録再生装置。 
【請求項４】
光学的に記録又は再生可能なテープ状記録媒体の製造方法であって、
複数のトラッキングパターンを含むトラッキングパターン群をテープ長手方向に繰り返し形成し、
各トラッキングパターン間にトラッキングパターン非形成領域を形成し、
前記トラッキングパターン非形成領域はそれぞれ、そのテープ長手方向の長さが異なるように形成する、
テープ状記録媒体の製造方法。
【発明の詳細な説明】
【技術分野】
【０００１】
本開示は、サーバー等のデータをバックアップするためのテープストリーマに適用することができるテープ状記録媒体に関する。
【背景技術】
【０００２】
近年、コンピュータやインターネットの益々の発達に伴い、取り扱うデータ量が爆発的に増大している。このため、バックアップに用いられる記録媒体の大容量化が求められている。このような大容量の記録媒体として、テープ状媒体上に形成する光相変化膜にレーザ光を照射して情報を記録又は再生するテープ状記録媒体が注目されている。
従来、光記録により高密度に記録をするためには、あらかじめトラッキングパターンをテープ状フィルム上に転写して形成する。この転写にはロール状のエンボス型が用いられる。具体的には、トラッキングパターンにトラック固有のアドレス信号等を埋め込み、これを複製し、複製された型を複数枚つなげてロール状のエンボス型を形成し、この型を用いてテープ状フィルムにトラッキングパターンを転写する。
【先行技術文献】
【特許文献】
【０００３】
【特許文献１】特開２０００―２６８３７０号公報
【発明の概要】
【発明が解決しようとする課題】
【０００４】
このようなロール状のエンボス型を用いる場合、周期的な形状でトラッキングパターンが転写形成されることになる。よって、ロール周期中に含まれる複数のトラッキングパターンのそれぞれの位置が判別できなかった。
本開示は、繰り返し形成された複数のトラッキングパターンのそれぞれの位置を特定することが可能なテープ状記録媒体を提供する。
【課題を解決するための手段】
【０００５】
本開示におけるテープ状記録媒体は、光学的に記録又は再生可能なテープ状記録媒体であって、トラッキングパターン群及びトラッキングパターン非形成領域を備える。トラッキングパターン群は、テープ長手方向に繰り返し形成され、複数のトラッキングパターンを含む。トラッキングパターン非形成領域は、各トラッキングパターン間に形成されている。また、各トラッキングパターン非形成領域は、テープ長手方向の長さが異なる。
【発明の効果】
【０００６】
本開示におけるテープ状記録媒体は、繰り返し形成された複数のトラッキングパターンのそれぞれの位置を特定することを可能となる。
【図面の簡単な説明】
【０００７】
【図１】一実施の形態におけるテープ状記録媒体の断面図
【図２】一実施の形態におけるテープ状記録媒体のトラッキングパターンの配置を示す平面図
【図３】一実施の形態における情報記録再生装置の構成図
【図４】一実施の形態における情報記録再生装置の機能構成図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、添付図面及び以下の説明は、当業者が本開示を十分に理解するために、提供されるのであって、これらにより特許請求の範囲に記載の主題を限定することは意図されていない。
【０００９】
（実施の形態１）
以下、図１〜図４を用いて、本開示による一実施の形態を説明する。
［１−１．テープ状記録媒体］
図１は、本実施の形態におけるテープ状記録媒体１００を示す断面図である。テープ状記録媒体１００（テープ状記録媒体の一例）は、ベースフィルム１０１、サーボインプリント層１０２、記録層１０３で構成される。
【００１０】
ベースフィルム１０１は、例えば、厚さが略６μｍのポリエチレンテレフタレートフィルムである。
サーボインプリント層１０２は、ベースフィルム１０１上にトラッキングパターンが形成された樹脂層である。本実施の形態では、トラッキングパターンは、例えば次のように形成される。ベースフィルム１０１上に略０．５μｍの厚さでアクリル樹脂系紫外線硬化樹脂を塗布する。その塗布された紫外線硬化樹脂にロール状エンボス型（エンボスロール）を回転させながら押し付け、紫外線を照射する。この結果、エンボス型が紫外線硬化樹脂に転写され、ベースフィルム１０１上にトラッキングパターンを有するサーボインプリント層１０２が形成される。
エンボスロールは、各種信号を埋め込まれたトラッキングパターンを４枚接続して形成されたロール状のエンボス型である。従って、サーボインプリント層１０２は、４種類のトラッキングパターンが繰り返し転写される。
【００１１】
図２は、記録層１０３の配置を示す平面図である。記録層１０３は、トラッキングパターン上にスパッタリング法を用いて合金膜と誘電体膜と反射膜とを積層させる。合金膜は、Ｇｅ、Ｂｉ、Ｔｅを主成分とする。誘導体膜はＳｉを主成分とする。反射膜はＡｇを主成分とする。本実施の形態の記録層１０３の厚さは、略１００ｎｍである。記録層１０３とベースフィルム１０１との間には、４つのトラッキングパターンを有するエンボスロールで形成されたサーボインプリント層１０２が形成される。よって、テープ状記録媒体１００には、図２に示すように、テープの走行方向に沿って４つのトラッキングパターン１０４Ａ〜１０４Ｄ（トラッキングパターンの一例）を含むトラッキングパターン群ＴＧ（トラッキングパターン群の一例）が繰り返し形成される。なお、トラッキングパターン群ＴＧは、エンボスロールの１周分に相当する。
【００１２】
トラッキングパターン群ＴＧ内における各トラッキングパターンの間隔（トラッキングパターン非形成領域）は全て異なるように形成されている。つまり、トラッキングパターン１０４Ａとトラッキングパターン１０４Ｂの間隔ａｂ、トラッキングパターン１０４Ｂとトラッキングパターン１０４Ｃの間隔ｂｃ、トラッキングパターン１０４Ｃとトラッキングパターン１０４Ｄの間隔ｃｄは全て異なるように構成される。また、トラッキングパターン群ＴＧ間の間隔（トラッキングパターン１０４Ｄと後続のトラッキングパターン１０４Ａの間隔）ｄａも、トラッキングパターン群ＴＧ内における各トラッキングパターンの間隔ａｂ、ｂｃ、ｃｄと全て異なるように構成される。
このように構成することにより、後述する情報記録再生装置２００は、テープ状記録媒体１００のどのトラッキングパターンを記録または再生するのかを把握することが可能になる。
【００１３】
また、記録層１０３のトラッキングパターン１０４Ａには、テープの走行方向に対して開始位置１０５に開始信号、終了位置１０６に終了信号を記録することが可能である。これにより、トラッキングパターン１０４Ａを記録または再生しているかどうかを正確に把握することができる。トラッキングパターン１０４Ｂ〜１０４Ｄについてもトラッキングパターン１０４Ａと同様に、開始位置に開始信号、終了位置に終了信号を記録する。
なお、本実施の形態ではポリエチレンテレフタレートを用いて説明したが、ポリエチレンナフタレート、ポリアミド等のフィルム担体を用いても良い。エンボスロールの作成方法は電子ビーム描画法であってもよいし、これ以外によるものであってもよい。また、トラッキング層の形成は、紫外線硬化樹脂による組成を限定するものではない。光相変化層を構成する各膜の組成はこれに限定されるものではなく、追記型、書換型のどちらでも良い。成膜方法もスパッタリング法にて説明したが、真空蒸着法、イオンプレーティング法等を用いてもよい。
【００１４】
［１−２．情報記録再生装置］
［１−２−１．情報記録再生装置の構成］
図３は、本実施の形態における情報記録再生装置２００（情報記録再生装置の一例）の構成を概略的に示す図である。情報記録再生装置２００は、少なくとも巻き取りリール２０１と、複数のガイドローラ２０２と、光ピック装置２０３（光学記録再生部の一例）と、繰り出しリール２０５と、を備える。光ピック装置２０３は、テープ走行路１１０上のテープ状記録媒体１００と対向して配される。
テープ状記録媒体１００は、カートリッジ２０４内に収納された状態で、情報記録再生装置２００の繰り出しリール２０５にセットされる。
巻き取りリール２０１は、リール駆動機構（図４）により回転し、カートリッジ２０４からテープ状記録媒体１００を巻き取る。繰り出しリール２０５は、巻き取りリール２０１の回転に合わせて回転し、テープ状記録媒体１００を繰り出す。
【００１５】
ガイドローラ２０２は、巻き取りリール２０１と繰り出しリール２０５間においてテープ状記録媒体１００のためのテープ走行路１１０を形成し、テープ状記録媒体１００を所望の方向に走行させるように所定間隔で配設されている。
光ピック装置２０３は、レーザ光源と受光部とを備える光ピックアップにより構成される。光ピック装置２０３は、走行するテープ状記録媒体１００にレーザ光源からのレーザ光を照射し、記録層１０３（図１）に対する信号の書き込みや読み出しを行なう。
図４に示すように、情報記録再生装置２００は更に、制御部２０８（制御部の一例）とメモリ２０９とを備える。制御部２０８は、ＣＰＵその他プロセッサ等により構成される。制御部２０８は、光ピック装置２０３による信号の読み取り及び記録を制御する。制御部２０８はまた、リール駆動機構２０７を駆動して、巻き取りリール２０１の回転制御を行う。メモリ２０９は、読み取られたデータや記録するデータ等を格納する。
【００１６】
［１−２−２．情報記録再生装置の動作］
情報記録再生装置２００の巻き取りリール２０１は、カートリッジ２０４からローディング機構（図示しない）によりテープ状記録媒体１００を引き出す。このとき、繰り出しリール２０５と巻き取りリール２０１の回転制御により、テープ状記録媒体１００は光ピック装置２０３の前を走行する。そして、巻き取りリール２０１の回転制御により、テープ状記録媒体１００は、複数のガイドローラ２０２に案内されながら光ピック装置２０３の前を通過し、巻き取りリール２０１に巻き取られる。
本実施の形態では、情報記録再生装置２００は、記録層１０３に対し信号を記録又は再生する時は４．９ｍ／ｓの速度でテープ状記録媒体１００を走行させ、信号を早送り又は巻き戻す時は２０ｍ／ｓの速度でテープ状記録媒体１００を走行させている。
【００１７】
光ピック装置２０３は、信号を記録又は再生する時にはトラッキングパターンに形成された溝形状にそってトラッキングを行う。トラッキングパターンのつなぎ目（トラッキングパターン非形成領域）では、トラックの追従のためにテープ幅方向にトラッキングジャンプが必要となる。この時、制御部２０８は、次のパターンを認識するまでのタイミングを測定しトラッキングパターン間のクリアランス量とトラッキングジャンプ量として記憶しておくことができる。このように構成することにより、一度エンボスロール一周分のトラッキングパターンのつなぎ目毎のトラッキングジャンプ量とクリアランス量を記憶すると、トラッキングパターンが消失した場合に直ぐにトラッキング動作を行う事が可能となる。結果として、より大容量のデータの取り扱いが可能となる。更に、早送り、巻き戻しをした場合でもトラッキングパターン間のクリアランス量を測定すれば次のゾーンが特定できる。
【００１８】
［１−３．効果等］
本実施の形態に係るテープ状記録媒体１００（テープ状記録媒体の一例）は、光学的に記録又は再生可能なテープ状記録媒体であって、トラッキングパターン群ＴＧ（トラッキングパターン群の一例）及びトラッキングパターン非形成領域ａｂ、ｂｃ、ｃｄ（トラッキングパターン非形成領域の一例）を備える。トラッキングパターン群ＴＧは、テープ長手方向に繰り返し形成され、複数のトラッキングパターン１０４Ａ、１０４Ｂ、１０４Ｃ、１０４Ｄを含む。トラッキングパターン非形成領域ａｂ、ｂｃ、ｃｄは、各トラッキングパターン間に形成されている。トラッキングパターン非形成領域ａｂ、ｂｃ、ｃｄ、ｄａはそれぞれ、そのテープ長手方向の長さが異なる。
本実施の形態に係る情報記録再生装置２００（情報記録再生装置の一例）は、複数のトラッキングパターン１０４Ａ、１０４Ｂ、１０４Ｃ、１０４Ｄを含むトラッキングパターン群ＴＧがテープ長手方向に繰り返し形成されたテープ状記録媒体１００を記録または再生する。情報記録再生装置２００は、テープ状記録媒体１００に対しデータを記録し、又はデータを読み出す光ピック装置２０３（光学記録再生部の一例）、及び光ピック装置２０３を制御する制御部２０８（制御部の一例）を備える。光ピック装置２０３は、テープ長手方向における各トラッキングパターンの間隔を読み出す。
【００１９】
このため、同一のトラッキングパターンが形成された複数の型を接続して形成されたロール状の型を転写して製造されるテープ状記録媒体であっても、繰り返し形成された複数のトラッキングパターンのそれぞれの位置を特定することを可能となる。
また、本実施の形態に係る情報記録再生装置２００は、メモリを更に備える。制御部２０８は、次のパターンを認識するまでのタイミングを測定しトラッキングパターン間のクリアランス量とトラッキングジャンプ量としてメモリ２０９に記憶しておくことができる。このため、直ぐにトラッキング動作を行う事が可能となる。
【００２０】
（その他実施の形態）
以上のように、本出願において開示する技術の例示としての一実施形態を説明した。しかしながら、本開示における技術は、これに限定されず、適宜、変更、置き換え、付加、省略などを行った実施の形態にも適用可能である。
【００２１】
本実施の形態では、光ピック装置２０３は１つの場合を説明したが、光ピック装置は複数配置しても良い。
また、信号を記録又は再生する時のテープ速度、早送りおよび巻き戻し時の速度は、本実施の形態で示したもので限定されるものではない。
更に、４種類のトラッキングパターン１０４Ａ、１０４Ｂ、１０４Ｃ、１０４Ｄが繰り返し転写される場合を説明したが、複数のトラッキングパターンが繰り返し転写される場合であればその枚数は限定されるものではない。
制御部２０８は、一つのプロセッサにより構成されていることに限定されず、複数のプロセッサを設けてもよい。また、プロセッサは、光ピック装置２０３内に設けてもよい。
本開示は、テープ状記録媒体又は情報記録再生装置として実現されるものに限定されない。例えば、テープ状記録媒体の製造方法も対象とする。
【産業上の利用可能性】
【００２２】
本開示は、例えばサーバー等のデータをバックアップするテープストリーマに適用することが可能である。
【符号の説明】
【００２３】
１００  テープ状記録媒体
１０１  ベースフィルム
１０２  サーボインプリント層
１０３  記録層
１０４Ａ、１０４Ｂ、１０４Ｃ、１０４Ｄ  トラッキングパターン
２００  情報記録再生装置
２０１  巻き取りリール
２０２  ガイドローラ
２０３  光ピック装置
２０４  カートリッジ
２０５  繰り出しリール
２０７  リール駆動機構
２０８  制御部
２０９  メモリ
【図１】
2015181075.tif 000003
【図２】
2015181075.tif 000004
【図３】
2015181075.tif 000005
【図４】
2015181075.tif 000006